(57)【要約】      （修正有）【課題】本来の包装機能を損ねることなしに、他の用途にも最適化して使用することができるダンボール梱包材を提供する。【解決手段】被梱包物を梱包する包装形態と、この包装形態Ｐとは異なった他用途形態Ｑとを採り得るダンボール梱包材１に、前記包装形態Ｐを採らせるために折り曲げられる第１の折曲線１１ａ〜１１ｃと、前記第１の折曲線１１ａ〜１１ｃとは別に設けられ前記他用途形態Ｑを採らせるために折り曲げられる第２の折曲線３３、３５ａ〜３５ｈとを具備させる。【選択図】図６
2018135100.tif 000002
【特許請求の範囲】
【請求項１】
被梱包物を梱包する包装形態と、この包装形態とは異なった他用途形態とを採り得るダンボール梱包材であって、
前記包装形態を採らせるために折り曲げられる第１の折曲線と、前記第１の折曲線とは別に設けられ前記他用途形態を採らせるために折り曲げられる第２の折曲線とを具備してなるダンボール梱包材。
【請求項２】
４枚の平板部を有し、それらの平板部で略直方体状をなす前記被梱包物を覆うことによって前記包装形態である角柱状の形態を採り得るように構成されたものであり、
相互に隣接する前記平板部の境界に前記第１の折曲線がそれぞれ設けられている請求項１記載のダンボール梱包材。
【請求項３】
前記被梱包物が、扁平に折り畳まれたダンボール箱素材を複数枚積層したものであり、
前記他用途形態が、梱包を解かれた任意枚数のダンボール箱素材を投入し立てかけておくためのトレー状の形態である請求項１又は２記載のダンボール梱包材。
【請求項４】
展開状態において４枚の平板部が３本の平行な第１の折曲線を介して連続させてあるとともに、それら３本の第１の折曲線の中点を通る仮想中心線を挟んで前記第１の折曲線にそれぞれ直交する２本の第２の折曲線が設けられたものであって、
平行をなす前記第２の折曲線間に形成される領域の一部が、トレー状の他用途形態を採った際の底面を構成し、前記各第２の折曲線の外側領域の一部がトレー状の他用途形態を採った際の側面を構成するようにしてある請求項３記載のダンボール梱包材。
【請求項５】
前記他用途形態をとる場合に不要となる部分を切り離すための切り離し線を備えている請求項１、２、３または４記載のダンボール梱包材。
【請求項６】
ダンボール箱素材を梱包するための梱包形態と、ダンボール箱素材を立てかけておくためのダンボールトレー状をなす他用途形態とをとり得るダンボール梱包材であって、
梱包時における第１の折曲線と直交する方向に一対の第２の折曲線を形成し、ダンボールトレー時に前記一対の第２の折曲線で形成した面を底面として変形することを特徴とするダンボール梱包材。
【発明の詳細な説明】
【技術分野】
【０００１】
本発明は、ダンボール梱包材に関するものである。
【背景技術】
【０００２】
従来から、種々の被梱包物を梱包するために、いろいろな形態をなすダンボール梱包材が広く用いられている（例えば、特許文献１を参照）。
【０００３】
ところが、従来のダンボール製の梱包材は、決められた被梱包物を梱包するための専用の形態をなしており、梱包を解いた後の梱包材はそのまま廃棄されるのが通常である。再利用されることも稀にはあるが、その場合には、前記梱包材を同じ専用形態のままで他の用途に転用せざるを得ない。そのため、他の用途に最適化することができず、用い難さや不具合の発生を許容しつつ騙し使いをしているのが現状である。
【先行技術文献】
【特許文献】
【０００４】
【特許文献１】特許第５７８４３２６号公報
【発明の概要】
【発明が解決しようとする課題】
【０００５】
本発明は以上の点に着目し、本来の包装機能を損ねることなしに、他の用途にも最適化して使用することができるダンボール梱包材を提供することを目的とする。
【課題を解決するための手段】
【０００６】
請求項１の発明に係るダンボール製の梱包材は、被梱包物を梱包する包装形態と、この包装形態とは異なった他用途形態とを採り得るダンボール製の梱包材であって、前記包装形態を採らせるために折り曲げられる第１の折曲線と、前記第１の折曲線とは別に設けられ前記他用途形態を採らせるために折り曲げられる第２の折曲線とを具備してなるダンボール製の梱包材である。
【０００７】
請求項２の発明に係るダンボール製の梱包材は、請求項１記載の構成において、４枚の平板部を有し、それらの平板部で略直方体状をなす前記被梱包物を覆うことによって前記包装形態である角柱状の形態を採り得るように構成されたものであり、相互に隣接する前記平板部の境界に前記第１の折曲線がそれぞれ設けられている。
【０００８】
請求項３の発明に係るダンボール製の梱包材は、請求項１又は２記載の構成において、前記被梱包物が、扁平に折り畳まれたダンボール箱素材を複数枚積層したものであり、前記他用途形態が、梱包を解かれた任意枚数のダンボール箱素材を投入し立てかけておくためのトレー状の形態である。
【０００９】
請求項４の発明に係るダンボール製の梱包材は、請求項３記載の構成において、展開状態において４枚の平板部が３本の平行な第１の折曲線を介して連続させてあるとともに、それら３本の第１の折曲線の中点を通る仮想中心線を挟んで前記第１の折曲線にそれぞれ直交する２本の第２の折曲線が設けられたものであって、平行をなす前記第２の折曲線間に形成される領域の一部が、トレー状の他用途形態を採った際の底面を構成し、前記各第２の折曲線の外側領域の一部がトレー状の他用途形態を採った際の側面を構成するようにしてある。
【００１０】
請求項５記載の発明に係るダンボール製の梱包材は、請求項１、２、３又は４記載の構成において、前記他用途形態をとる場合に不要となる部分を切り離すための切り離し線を備えている。
【００１１】
請求項６記載の発明に係るダンボール製の梱包材は、ダンボール箱素材を梱包するための梱包形態と、ダンボール箱素材を立てかけておくためのダンボールトレー状をなす他用途形態とをとり得るダンボール梱包材であって、梱包時における第１の折曲線と直交する方向に一対の第２の折曲線を形成し、ダンボールトレー時に前記一対の第２の折曲線で形成した面を底面として変形することを特徴とするものである。
【発明の効果】
【００１２】
本発明によれば、本来の包装機能を損ねることなしに、他の用途にも最適化して使用することができるダンボール梱包材を提供することができる。
【図面の簡単な説明】
【００１３】
【図１】本発明の一実施形態に係るダンボール梱包材の展開図。
【図２】同実施形態に係るダンボール梱包材の展開状態を示す斜視図。
【図３】同実施形態に係るダンボール梱包材の組み立て手順を示す図。
【図４】同実施形態に係るダンボール梱包材の組み立て手順を示す図。
【図５】同実施形態に係るダンボール梱包材の包装形態を示す斜視図。
【図６】同実施形態に係るダンボール梱包材の梱包を解いた状態を示す図。
【図７】同実施形態に係るダンボール梱包材の組み立て手順を示す図。
【図８】同実施形態に係るダンボール梱包材の組み立て手順を示す図。
【図９】同実施形態に係るダンボール梱包材の組み立て手順を示す図。
【図１０】同実施形態に係るダンボール梱包材の他用途形態を示す斜視図。
【発明を実施するための形態】
【００１４】
本発明の一実施形態を、図１〜図１０を参照しつつ以下に説明する。
【００１５】
本実施形態のダンボール梱包材１は、被梱包物Ａを梱包する包装形態（Ｐ）と、この包装形態（Ｐ）とは異なった他用途形態（Ｑ）とを採り得るダンボール梱包材であって、前記包装形態（Ｐ）を採らせるために折り曲げられる第１の折曲線１１ａ〜１１ｃと、前記第１の折曲線１１とは別に設けられ前記他用途形態（Ｑ）を採らせるために折り曲げられる第２の折曲線３３、３５ａ〜３５ｈとを具備してなるものである。
【００１６】
この実施形態における被梱包物Ａは、扁平に折り畳まれたダンボール箱素材ａを複数枚積層したものである。各ダンボール箱素材ａは、組み立てることによってダンボール箱となる通常のもので、梱包時には扁平に折りたたまれている。これらのダンボール箱素材ａを複数枚積層することによって略直方体状をなすようになっており、この略直方体状の被梱包物Ａを当該ダンボール梱包材１により梱包するようになっている。
【００１７】
このダンボール梱包材１は、図１及び図２に示すように、４枚の平板部３、５、７、９を有し、それらの平板部３、５、７、９で略直方体状をなす前記被梱包物Ａを覆うことによって前記包装形態（Ｐ）である角柱状の形態をとり得るようになっており、相互に隣接する前記平板部３、５、７、９の境界に前記第１の折曲線１１がそれぞれ設けられている。すなわち、このダンボール梱包材１は、一方の梱包用側面１ａを形成する平板部３と、この平板部３に１番目の第１の折曲線１１ａを介して連続し梱包用底面１ｂを形成する平板部５と、この平板部５に２番目の第１の折曲線１１ｂを介して連続し他方の梱包用側面１ｃを形成する平板部７と、この平板部７に３番目の第１の折曲線１１ｃを介して連続し梱包用上面１ｄを形成する平板部９とを備えたもので、ダンボール素材に打ち抜き等の加工を施すことにより作られたダンボール製のものである。なお、前記各第１の折曲線１１ａ〜１１ｃは、ダンボール素材の中芯が形成するリブの延伸方向に対してそれぞれ平行に延びている。
【００１８】
ここで、図１及び図２に示すような展開状態から、第１の折曲線１１ａ〜１１ｃを折り曲げて包装形態（Ｐ）をとらせる場合について図３〜図５を参照して説明する。
【００１９】
まず、展開状態から、図３に示すように１番目及び２番目の第１の折曲線１１ａ、１１ｂを９０度折り曲げて、両梱包用側面１ａ、１ｃをそれぞれ形成する２枚の平面部３、７を、梱包用底面１ｂを形成する平板部５に対して起立させ、しかる後に、図４に示すように、３番目の第１の折曲線１１ｃを９０度折り曲げて、梱包用上面１ｄを形成する平板部９と前記梱包用底面１ｂを形成する平板部５とを対向させることにより、角柱状をなす包装形態（Ｐ）をとらせることができる。そして、この折曲途上において前記梱包用底面１ｂを構成する平板部５上に被梱包物Ａを載置し、包装形態（Ｐ）が完成した段階で荷造り用のバンドＢで結束することにより、図５に示すように、梱包が完成することになる。
【００２０】
また、このダンボール梱包材１は、梱包を解かれた任意枚数のダンボール箱素材ａを投入し立てかけておくためのダンボールトレー状の他用途形態（Ｑ）をとることもできるようになっている。
【００２１】
すなわち、このダンボール梱包材１は、前述したように、展開状態において４枚の平板部３、５、７、９が３本の平行な第１の折曲線１１ａ〜１１ｃを介して連続させてあるだけでなく、それら３本の第１の折曲線１１ａ〜１１ｃの中点を通る仮想中心線１ｍを挟んで前記第１の折曲線１１ａ〜１１ｃにそれぞれ直交する２本の主たる第２の折曲線３３が設けられたものであり、平行をなす前記主たる第２の折曲線３３間に形成される領域の一部が、トレー状の他用途形態（Ｑ）を採った際の底面すなわちトレー用底面１ｖを構成し、前記主たる第２の折曲線３３の外側領域の一部がトレー状の他用途形態（Ｑ）を採った際の側面すなわちトレー用側面１ｗ、１ｘを構成するようにしてある。
【００２２】
すなわち、このダンボール梱包材１は、前述したように第２の折曲線３３、３５ａ〜３５ｈを有しており、さらに、前記他用途形態（Ｑ）をとる場合に不要となる部分を切り離すための切り離し線３７ａ〜３７ｅを備えている。詳述すれば、このダンボール梱包材１は、平行な２本の主たる第２の折曲線３３を有するだけでなく、トレー状の他用途形態（Ｑ）をとるために必要な複数の従たる第２の折曲線３５ａ〜３５ｈを備えている。まず、主たる第２の折曲線３３間には、前述したようにトレー用底面１ｖを形成する他用途平板部１３が設定されているとともに、これら主たる第２の折曲線３３の外側には、トレー用側面１ｗ、１ｘをそれぞれ形成する他用途平板部１５、１７が設定されている。また、トレー用底面１ｖを形成する他用途平板部１３の前側には、従たる第２の折曲線３５ａ、３５ｄ、３５ｅを介してトレー状の他用途形態（Ｑ）を採った際の前面すなわちトレー用前面１ｙを形成する外側の他用途平板部１９及び内側の他用途平板部２１が設定されている。前記内側の他用途平板部２１の先端には、差込突起３１を突出させて設けている。さらに、トレー用側面１ｗ、１ｘを形成する他用途平板部１５、１７の前側には、従たる第２の折曲線３５ｂ、３５ｃを介してトレー用前面１ｙを形成する前側の差込片部２３が設定されている。加えて、一方のトレー用側面１ｗを形成する他用途平板部１５の後側には、従たる第２の折曲線３５ｆ、３５ｈを介してトレー状の他用途形態（Ｑ）を採った際の背面すなわちトレー用背面１ｚを形成する外側の他用途平板部２５及びトレー用背面１ｚとトレー用側面１ｘとを接続する後側の差込片部２９が設定されており、他方のトレー用側面１ｘを形成する他用途平板部１７の後側には、従たる第２の折曲線３５ｇを介してトレー用背面１ｚを形成する内側の他用途平板部２７が設定されている。
【００２３】
ここで、ダンボールトレー状をなす他用途形態（Ｑ）は、以上説明したトレー用底面１ｖを形成する他用途平板部１３、トレー用側面１ｗ、１ｘを形成する他用途平板部１５、１７、トレー用前面１ｙを形成する外側の他用途平板部１９、内側の他用途平板部２１及び前側の差込片部２３、トレー用背面１ｚを形成する外側の他用途平板部２５及び内側の他用途平板部２７、並びにトレー用背面１ｚとトレー用側面１ｘとを接続する後側の差込片部２９によって構成されるものであり、かかる他用途形態（Ｑ）に不要な前側の不要となる部分Ｒ１及び後側の不要となる部分Ｒ２は、切り離し線３７ａ〜３７ｅを利用して切り離されるようになっている。図６において、前側及び後側の不要となる部分Ｒ１、Ｒ２には、パターンを施してある。３７ａは、前側の不要となる部分Ｒ１を切り離すための切り離し線である。３７ｂは、後側の不要となる部分Ｒ２を切り離すための切り離し線である。３７ｃは、トレー用前面１ｙを形成する内側の他用途平板部２１の先端の差込突起３１を受け入れるためのスリットＳ１を形成するための切り離し線である。３７ｄは、トレー用前面１ｙを形成する外側の他用途平板部１９と前側の差込片部２３とを切り離すための切り離し線である。そして、３７ｅは、前記後側の差込片部２９を受け入れるためのスリットＳ２を形成するための切り離し線である。各切り離し線３７ａ〜３７ｅは、ダンボール素材に半パンチ状の切込みや破線状の切込みを形成したもので、外力を加えることによりその切り離し線から部材の切り離しを行うことができるようになっている。
【００２４】
ここで、図５に示すような包装形態（Ｐ）を解いた後、切り離し線３７ａ〜３７ｅや第２の折曲線３３、３５ａ〜３５ｈを利用してダンボールトレー状の他用途形態（Ｑ）をとらせる場合について図６〜図１０を参照して説明する。
【００２５】
まず、図５に示すような包装形態（Ｐ）から、荷造り用のバンドＢを切断して梱包を解き、被梱包物Ａを取り出した後に、ダンボール梱包材１を図６に示すように展開する。この展開状態において、前側の不要となる部分Ｒ１と後側の不要となる部分Ｒ２を切り離し線３７ａ、３７ｂを利用して切り離す。しかる後に、図７に示すように、主たる第２の折曲線３３を９０度折り曲げて、両トレー用側面１ｗ、１ｘをそれぞれ形成する他用途平板部１５、１７を、トレー用底面１ｖを形成する他用途平板部１３に対して起立させる。また、図８に示すように、従たる第２の折曲線３５ｂ、３５ｃを利用して前記前側の差込片部２３を側面１ｗ、１ｘに対して９０度折り曲げ、従たる第２の折曲線３５ａ、３５ｄ、３５ｅを利用してトレー用前面１ｙを形成する外側及び内側の両他用途平面部１９、２１により前記差込片部２３を挟み込むように折り曲げ、先端の差込突起３１をスリットＳ１に差し込むことによりトレー用前面１ｙを塞ぐ。そして、従たる第２の折曲線３５ｆ、３５ｇを利用してトレー用背面１ｚを形成する内側及び外側の他用途平板部２５、２７をそれぞれトレー用側面１ｗ、１ｘに対して９０度折り曲げて重ね合わせ、しかる後に従たる第２の折曲線３５ｈを利用して後側の差込片部２９を前記外側の他用途平板部に２５対して折り曲げてスリットＳ２に差し込むことによりトレー用背面１ｚを塞ぐ。これにより、図９及び図１０に示すようなダンボールトレー状の他用途形態（Ｑ）が完成する。この他用途形態（Ｑ）をなすダンボール梱包材１には、上から必要枚数のダンボール箱素材ａを挿入して立てかけておくことができる。
【００２６】
すなわち、以上説明したダンボール梱包材１は、ダンボール箱素材ａを梱包するための梱包形態と、ダンボール箱素材ａを立てかけておくためのダンボールトレー状をなす他用途形態（Ｑ）とをとり得るダンボール梱包材１であって、梱包時における第１の折曲線１１ａ〜１１ｃと直交する方向に一対の主たる第２の折曲線３３を形成し、ダンボールトレー時に前記一対の主たる第２の折曲線３３で形成した面を底面１ｖとして変形することを特徴とするものである。
【００２７】
このような構成のものであれば、梱包に最適化された包装形態（Ｐ）をとることができるだけでなく、梱包を解いた後にはダンボール箱素材ａを挿入して立てかけておくために最適化された他用途形態（Ｑ）に変形させて利用することができる。
【００２８】
さらに、前記主たる第２の折曲線３３が前記第１の折曲線１１ａ〜１１ｃにそれぞれ直交するので、ダンボールトレー状の前記他用途形態（Ｑ）をとる際に側面１ｗ、１ｘの高さ寸法を抑え、ダンボール箱素材ａを立てかけた際に倒れにくくすることができる。
【００２９】
前記実施形態では、４枚の平板部３、５、７、９を角柱状に形成してなる包装形態（Ｐ）を構成しているが、包装形態（Ｐ）としては必ずしもこのようなものに限られるものではなく、被梱包物Ａに応じて種々変形が可能である。
【００３０】
また、他用途形態（Ｑ）についても被梱包物Ａを立てかけるためのトレー状のものに限らず、必要な用途に応じて適宜変更が可能である。従って、第１、第２の折曲線も、その目的に応じて種々の形態が採用されうる。
【００３１】
さらに、切り離し線は必ずしも必要なものではなく、他用途形態（Ｑ）によっては不要になる場合もある。
【００３２】
なお、本発明は以上に述べた実施形態に限られない。
【００３３】
例えば、上述したように、包装形態の形状を被梱包物に応じて種々変形させることや、他用途形態を必要な用途に応じて適宜変更することが考えられる。
【００３４】
また、これも上述したように、包装形態の形状や他用途形態の目的に応じて、第１、第２の折り曲げ線を種々に設定することや、切り離し線を省略することも考えられる。
【００３５】
その他、本発明の趣旨を損ねない範囲で種々に変更してよい。
【符号の説明】
【００３６】
１…ダンボール梱包材
１１ａ〜１１ｃ…第１の折曲線
３３、３５ａ〜３５ｈ…第２の折曲線
Ｐ…包装形態
Ｑ…他用途形態
Ａ…被梱包物
【図１】
2018135100.tif 000003
【図２】
2018135100.tif 000004
【図３】
2018135100.tif 000005
【図４】
2018135100.tif 000006
【図５】
2018135100.tif 000007
【図６】
2018135100.tif 000008
【図７】
2018135100.tif 000009
【図８】
2018135100.tif 000010
【図９】
2018135100.tif 000011
【図１０】
2018135100.tif 000012